【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
デジタル３Ｄモデルに従って３Ｄ物体をプリントするために適用される３Ｄプリント装置であって、
プリント経路に沿って配置されるプリントベッド、第１の供給プラットフォーム、及び第２の供給プラットフォームを備え、前記プリントベッドが、前記第１の供給プラットフォームと前記第２の供給プラットフォームとの間に配置され、前記第１の供給プラットフォーム及び前記第２の供給プラットフォームが構築粉末を運搬して、前記プリントベッドに前記構築粉末を供給する基台と、
前記基台の上部に配置され、少なくとも１つのプリントヘッド及び少なくとも１つの舗装ローラーを備え、前記舗装ローラーが、順方向及び逆方向に沿って回転するよう前記プリントヘッドのサイドで移動可能に配置され、前記第１の供給プラットフォーム及び前記第２の供給プラットフォームの前記構築粉末を前記プリントベッドの上に交互に運び、前記プリントヘッドが前記舗装ローラーと共に移動し、前記デジタル３Ｄモデルに従って、前記プリントベッド上に接着剤を層ごとに分配することで、前記プリントベッドの上に運ばれる前記構築粉末を層ごとに接着して、互いの上面に積層する複数の接着粉末層を連続的に形成して前記３Ｄ物体を形成するプリントヘッドモジュールと、を備える、
３Ｄプリント装置。
【請求項２】
前記基台は、互いに対向する第１の端及び第２の端をさらに備え、前記第１の供給プラットフォームは、前記第１の端に配置され、前記第２の供給プラットフォームは、前記第２の端に配置される、
請求項１に記載の３Ｄプリント装置。
【請求項３】
前記基台は、残った構築粉末をリサイクルするための第１のリサイクルタンク及び第２のリサイクルタンクをさらに備え、前記第１の供給プラットフォームは、前記プリントベッドと前記第１のリサイクルタンクとの間に位置し、前記第２の供給プラットフォームは、前記プリントベッドと前記第２のリサイクルタンクとの間に位置する、
請求項２に記載の３Ｄプリント装置。
【請求項４】
前記少なくとも１つの舗装ローラーは、
前記第２の端に面する前記プリントヘッドのサイドで昇降可能に配置され、前記第１の供給プラットフォームがプリント参照平面に上昇する場合に、前記プリント参照平面に下降し、前記順方向に沿って回転して、前記第１の供給プラットフォームの前記構築粉末を前記プリントベッドの上に運ぶ第１の舗装ローラーと、
前記第１の端に面する前記プリントヘッドのサイドで昇降可能に配置され、前記第２の供給プラットフォームが前記プリント参照平面に上昇する場合に、前記プリント参照平面に下降し、前記逆方向に沿って回転して、前記第２の供給プラットフォームの前記構築粉末を前記プリントベッドの上に運ぶ第２の舗装ローラーと、を備える、
請求項２に記載の３Ｄプリント装置。
【請求項５】
前記プリントヘッドモジュールは、
前記第１の舗装ローラー及び前記第２の舗装ローラーにそれぞれ巻きつく伝動ベルトと、
第１の方向に沿って回転するように前記伝動ベルトを駆動することで前記第１の舗装ローラーを駆動して前記プリント参照平面に下降させ、前記第２の舗装ローラーを上昇させ、かつ、第２の方向に沿って回転するように前記伝動ベルトを駆動することで前記第２の舗装ローラーを駆動して前記プリント参照平面に下降させ、前記第１の舗装ローラーを上昇させる駆動ローラーと、をさらに備える、
請求項４に記載の３Ｄプリント装置。
【請求項６】
前記プリントヘッドモジュールは、
前記駆動ローラーと前記第１の舗装ローラーとの間、及び、前記駆動ローラーと前記第２の舗装ローラーとの間にそれぞれ配置され、前記駆動ローラーの前記駆動によって回転するよう、前記第１の舗装ローラー及び前記第２の舗装ローラーを駆動する複数の伝動ローラーをさらに備える、
請求項５に記載の３Ｄプリント装置。
【請求項７】
前記プリントヘッドモジュールは、前記駆動ローラーに接続され、回転するように前記駆動ローラーを駆動する駆動モーターをさらに備える、
請求項５に記載の３Ｄプリント装置。
【請求項８】
前記プリントヘッドモジュールは、
前記第１の舗装ローラー及び前記第２の舗装ローラーの２つの対向する端にそれぞれ配置される２つの連結バーをさらに備え、
前記連結バーの各々は、複数の案内溝を有し、前記第１の舗装ローラー及び前記第２の舗装ローラーは、前記案内溝にそれぞれ配置され、前記案内溝の案内により上昇又は下降する、
請求項４に記載の３Ｄプリント装置。
【請求項９】
前記案内溝は、
前記連結バーの各々の一端に比較的近い第１の上昇端、及び、対応する連結バーの前記一端から比較的離れた第１の案内端を備え、前記プリント参照平面から離れて前記第１の上昇端に向かう方向に沿って、前記第１の案内端から延びる第１の案内溝であって、各連結バーの２つの対向する端が２つの前記第１の案内溝にそれぞれ位置することで、前記第１の案内溝の案内により、前記第１の上昇端まで上昇するか、又は、前記第１の案内端まで下降する、前記第１の案内溝と、
各連結バーの他端に比較的近い第２の上昇端、及び、各連結バーの前記他端から比較的離れた第２の案内端を備え、前記プリント参照平面から離れて前記第２の上昇端に向かう方向に沿って、前記第２の案内端から延びる第２の案内溝であって、前記第２の舗装ローラーの２つの対向する端が２つの前記第２の案内溝にそれぞれ位置することで、前記第２の案内溝の案内により、前記第２の上昇端まで上昇するか、又は、前記第２の案内端まで下降する、前記第２の案内溝と、を備える、
請求項８に記載の３Ｄプリント装置。
【請求項１０】
前記基台は、
前記第２の端に配置される第１の遮断壁であって、前記プリントヘッドモジュールが、前記第１の遮断壁に接触するまで、前記プリント経路に沿って前方に移動する場合、前記第１の舗装ローラーは、前記第１の案内端から前記第１の上昇端まで上昇し、前記第２の舗装ローラーは、前記第２の上昇端から前記第２の案内端まで下降する、前記第１の遮断壁と、
前記第１の端に配置される第２の遮断壁であって、前記プリントヘッドモジュールが、前記第２の遮断壁に接触するまで、前記プリント経路に沿って後方に移動する場合、前記第１の舗装ローラーは、前記第１の上昇端から前記第１の案内端まで下降し、前記第２の舗装ローラーは、前記第２の案内端から前記第２の上昇端まで上昇する、前記第２の遮断壁と、をさらに備える、
請求項９に記載の３Ｄプリント装置。
【請求項１１】
前記少なくとも１つのプリントヘッドは、
前記第１の端に面する前記舗装ローラーのサイドに配置され、前記第１の供給プラットフォームがプリント参照平面に上昇する場合、前記舗装ローラーが前記順方向に沿って回転して、前記第１の供給プラットフォームの前記構築粉末を前記プリントベッドの上に運び、前記プリントベッド上に接着剤を層ごとに分配する第１のプリントヘッドと、
前記第２の端に面する前記舗装ローラーのサイドに配置され、前記第２の供給プラットフォームが前記プリント参照平面に上昇する場合、前記舗装ローラーが前記逆方向に沿って回転して、前記第２の供給プラットフォームの前記構築粉末を前記プリントベッドの上に運び、前記プリントベッド上に接着剤を層ごとに分配する第２のプリントヘッドと、を備える、
請求項２に記載の３Ｄプリント装置。
【請求項１２】
前記プリントベッドは、前記接着粉末層の最上部層の上面がプリント参照平面と同一平面となるように、前記プリント参照平面から離れる方向に沿って一層ずつ移動する、
請求項１に記載の３Ｄプリント装置。
【請求項１３】
デジタル３Ｄモデルに従って３Ｄ物体をプリントするために適用される３Ｄプリント装置であって、
プリント経路に沿って配置されるプリントベッド、第１の供給プラットフォーム、及び第２の供給プラットフォームを備え、前記プリントベッドが、前記第１の供給プラットフォームと前記第２の供給プラットフォームとの間に配置され、前記第１の供給プラットフォーム及び前記第２の供給プラットフォームが構築粉末を運搬して、前記プリントベッドに前記構築粉末を供給する基台と、
前記基台の上部に配置され、前記プリント経路の順方向に沿って移動することで、前記第１の供給プラットフォームの前記構築粉末を前記プリントベッドの上に運び、前記プリント経路の逆方向に沿って移動することで、前記第２の供給プラットフォームの前記構築粉末を前記プリントベッドの上に運び、互いの上面に積層する複数の接着粉末層を連続的に形成して前記３Ｄ物体を形成するプリントヘッドモジュールと、を備え、
前記基台は、互いに対向する第１の端及び第２の端をさらに備え、前記第１の供給プラットフォームは、前記第１の端に配置され、前記第２の供給プラットフォームは、前記第２の端に配置され、
前記プリントヘッドモジュールは、
前記第１の供給プラットフォーム及び前記第２の供給プラットフォームの前記構築粉末を前記プリントベッドの上に運ぶ舗装ローラーと、
前記第１の端に面する前記舗装ローラーのサイドに配置され、前記第１の供給プラットフォームがプリント参照平面に上昇する場合、前記舗装ローラーが前記順方向に沿って回転して、前記第１の供給プラットフォームの前記構築粉末を前記プリントベッドの上に運び、前記プリントベッド上に接着剤を層ごとに分配する第１のプリントヘッドと、
前記第２の端に面する前記舗装ローラーのサイドに配置され、前記第２の供給プラットフォームが前記プリント参照平面に上昇する場合、前記舗装ローラーが前記逆方向に沿って回転して、前記第２の供給プラットフォームの前記構築粉末を前記プリントベッドの上に運び、前記プリントベッド上に接着剤を層ごとに分配する第２のプリントヘッドと、を備える、
３Ｄプリント装置。
【手続補正２】
【補正対象書類名】明細書
【補正対象項目名】０００６
【補正方法】変更
【補正の内容】
【０００６】
開示の３Ｄプリント装置は、デジタル３Ｄモデルに従って３Ｄ物体をプリントするために適用される。３Ｄプリント装置は、基台及びプリントヘッドモジュールを有する。基台は、プリント経路に沿って配置されるプリントベッド、第１の供給プラットフォーム、及び第２の供給プラットフォームを有する。前記プリントベッドは、前記第１の供給プラットフォームと前記第２の供給プラットフォームとの間に配置される。前記第１の供給プラットフォーム及び前記第２の供給プラットフォームは、それぞれ構築粉末を運搬する。前記第１の供給プラットフォーム及び前記第２の供給プラットフォームは、前記プリントベッドに前記構築粉末を供給するために、前記基台のプリント参照平面に交互に上昇する。前記プリントヘッドモジュールは、前記基台の上部に配置され、少なくとも１つのプリントヘッド及び少なくとも１つの舗装ローラーを備え、前記舗装ローラーが、順方向及び逆方向に沿って回転するよう前記プリントヘッドのサイドで移動可能に配置され、前記第１の供給プラットフォーム及び前記第２の供給プラットフォームの前記構築粉末を前記プリントベッドの上に交互に運び、前記プリントヘッドが前記舗装ローラーと共に移動し、前記デジタル３Ｄモデルに従って、前記プリントベッド上に接着剤を層ごとに分配することで、前記プリントベッドの上に運ばれる前記構築粉末を層ごとに接着して、互いの上面に積層する接着粉末層を連続的に形成して前記３Ｄ物体を形成する。